(57)【特許請求の範囲】
【請求項１】
プロバイダバックボーンブリッジによる仮想プライベートＬＡＮサービス（ＰＢＢ−ＶＰＬＳ）ネットワーク内のデータパケットに関する転送規則を求める方法であって、
受信したデータパケットのバックボーンサービスインスタンス識別子（Ｉ−ＳＩＤ）フィールド内の値を検査すること、および
Ｉ−ＳＩＤ値に基づいてデータパケットに対応する仮想分割水平グループを求めることであって、それぞれの仮想分割水平グループが、ＰＢＢ−ＶＰＬＳネットワークの相異なる擬似ワイヤポート間のデータパケットに関する相異なるツリートポロジを有するユーザサービスブリッジドメインＶＰＬＳインスタンスの相異なる転送規則を定義すること
を含む、方法。
【請求項２】
データパケットに対応する仮想分割水平グループを求めるステップが、
Ｉ−ＳＩＤ値に基づいて動的分割水平グループテーブルに照会することであって、動的分割水平グループテーブルが、Ｉ−ＳＩＤ値によって特定されるユーザサービスブリッジドメインＶＰＬＳインスタンスと、仮想分割水平グループとの間の関係を記録すること
を含む、請求項１に記載の方法。
【請求項３】
プロバイダバックボーンブリッジによる仮想プライベートＬＡＮサービス（ＰＢＢ−ＶＰＬＳ）ネットワーク内のデータパケットに関する転送規則を求めるデバイスであって、
受信したデータパケットのバックボーンサービスインスタンス識別子（Ｉ−ＳＩＤ）フィールド内の値を検査する検査モジュールと、
Ｉ−ＳＩＤ値に基づいてデータパケットに対応する仮想分割水平グループを求める仮想分割水平グループ決定モジュールであって、それぞれの仮想分割水平グループが、ＰＢＢ−ＶＰＬＳネットワークの相異なる擬似ワイヤポート間のデータパケットに関する相異なるツリートポロジを有するユーザサービスブリッジドメインＶＰＬＳインスタンスの相異なる転送規則を定義する仮想分割水平グループ決定モジュールと
を備える、デバイス。
【請求項４】
仮想分割水平グループ決定モジュールが、
Ｉ−ＳＩＤ値に基づいて動的分割水平グループテーブルに照会する照会ユニットであって、動的分割水平グループテーブルが、Ｉ−ＳＩＤ値によって特定されるユーザサービスブリッジドメインＶＰＬＳインスタンスと、仮想分割水平グループとの間の関係を記録する照会ユニット
を備える、請求項３に記載のデバイス。
【請求項５】
プロバイダバックボーンブリッジによる仮想プライベートＬＡＮサービス（ＰＢＢ−ＶＰＬＳ）ネットワーク内で使用され、ネットワーク側に配置されるプロバイダエッジ機器であって、請求項３または４に記載のデータパケットに関する転送規則を求めるデバイスを備える、プロバイダエッジ機器。
【発明の詳細な説明】
【技術分野】
【０００１】
本発明は、プロバイダバックボーンブリッジによる仮想プライベートＬＡＮサービス（ＰＢＢ−ＶＰＬＳ，Ｖｉｒｔｕａｌ  Ｐｒｉｖａｔｅ  ＬＡＮ  Ｓｅｒｖｉｃｅ  ｗｉｔｈ  Ｐｒｏｖｉｄｅｒ  Ｂａｃｋｂｏｎｅ  Ｂｒｉｄｇｅ）ネットワークに関し、詳細には、ＰＢＢ−ＶＰＬＳネットワーク内のデータパケットに関する転送規則を求める方法およびデバイスに関する。
【背景技術】
【０００２】
一般に、既存のＰＢＢ−ＶＰＬＳネットワークでは、Ｈｕｂ  ａｎｄ  Ｓｐｏｋｅトポロジ（根付きマルチポイントツリートポロジとも呼ばれる）を有するユーザサービスブリッジドメインＶＰＬＳ（Ｉ−ＶＰＬＳ）インスタンスが、複数のプロバイダバックボーンブリッジドメインＶＰＬＳ（Ｂ−ＶＰＬＳ）インスタンスを構成することによって動作することができ、各Ｂ−ＶＰＬＳインスタンスは、同一または互換のルートサイトおよびツリートポロジを有するＩ−ＶＰＬＳインスタンスのみをサポートすることができる。
【０００３】
図１に、既存のＰＢＢ−ＶＰＬＳネットワーク内の相異なるルートサイトおよびツリートポロジを有する複数のＩ−ＶＰＬＳインスタンスをサポートする技術的解決策の略図を示す。図１に示すように、ＰＢＢ−ＶＰＬＳネットワークはＩＰ／ＭＰＬＳネットワークに基づき、プロバイダエッジ機器（ＰＥ）が、ユーザ側プロバイダエッジ機器Ｕ−ＰＥ１、Ｕ−ＰＥ２、Ｕ−ＰＥ３、Ｕ−ＰＥ４、およびネットワーク側プロバイダエッジ機器Ｎ−ＰＥ１、Ｎ−ＰＥ２を含み、Ｎ−ＰＥ１は、Ｕ−ＰＥ１およびＵ−ＰＥ２からデータパケットを受信し、Ｎ−ＰＥ２は、Ｕ−ＰＥ３およびＵ−ＰＥ４からデータパケットを受信する。各ユーザ側プロバイダエッジ機器は、３つのＩ−ＶＰＬＳインスタンスと共に構成され、２つのＩ−ＶＰＬＳインスタンスＩ１およびＩ２が、同一のルートサイトおよびツリートポロジを有し、他の１つのＩ−ＶＰＬＳインスタンスＩ３が、Ｉ１およびＩ２とは異なるルートサイトおよびツリートポロジを有する。したがって、ネットワーク側プロバイダエッジ機器およびユーザ側プロバイダエッジ機器のそれぞれが、２つのＢ−ＶＰＬＳインスタンスＢ１２およびＢ３と共に構成され、Ｉ−ＶＰＬＳインスタンスＩ１およびＩ２がＢ−ＶＰＬＳインスタンスＢ１２に結合され、Ｉ−ＶＰＬＳインスタンスＩ３がＢ−ＶＰＬＳインスタンスＢ３に結合され、ネットワーク側プロバイダエッジ機器のＢ−ＶＰＬＳインスタンスと、ユーザ側プロバイダエッジ機器の対応するＢ−ＶＰＬＳインスタンスとが、擬似ワイヤを介して互いに結合される。
【０００４】
Ｉ−ＶＰＬＳで特定のツリートポロジを実装するために、すなわち１つのＶＰＬＳインスタンスに関する相異なるサイト間のデータパケットの転送を制御するために、Ｓｐｌｉｔ  Ｈｏｒｉｚｏｎ  Ｇｒｏｕｐ（ＳＨＧ）技法が利用される。図１では、Ｎ−ＰＥ１およびＵ−ＰＥ１の１対のＢ−ＶＰＬＳインスタンスＢ１２を結合する擬似ワイヤと、Ｎ−ＰＥ１およびＵ−ＰＥ２の１対のＢ−ＶＰＬＳインスタンスＢ１２を結合する擬似ワイヤ（それぞれ破線で表す）が同一のＳＨＧに属し、Ｎ−ＰＥ１およびＮ−ＰＥ２の１対のＢ−ＶＰＬＳインスタンスＢ１２を結合する擬似ワイヤと、Ｎ−ＰＥ２およびＵ−ＰＥ３の１対のＢ−ＶＰＬＳインスタンスＢ１２を結合する結合する擬似ワイヤ（それぞれ破線で表す）が同一のＳＨＧに属し、Ｎ−ＰＥ２およびＵ−ＰＥ３の１対のＢ−ＶＰＬＳインスタンスＢ３を結合する擬似ワイヤと、Ｎ−ＰＥ２およびＵ−ＰＥ４の１対のＢ−ＶＰＬＳインスタンスＢ３を結合する擬似ワイヤ（それぞれ破線で表す）が同一のＳＨＧに属し、Ｎ−ＰＥ１およびＮ−ＰＥ２の１対のＢ−ＶＰＬＳインスタンスＢ３を結合する擬似ワイヤと、Ｎ−ＰＥ１およびＵ−ＰＥ２の１対のＢ−ＶＰＬＳインスタンスＢ３を結合する擬似ワイヤ（それぞれ破線で表す）が同一のＳＨＧに属する。
【０００５】
ＳＨＧ技法は当技術分野で知られている。この技法では、実質上、ＶＰＬＳネットワークのサイト間のマルチポイントツーマルチポイントフルメッシュトポロジを根付きマルチポイントツリートポロジに効率的に変換することができる。すなわち、ルートノードとリーフノードとの間の通信だけが許可され、リーフノード間の通信が禁止される。
【０００６】
しかし、複数のＢ−ＶＰＬＳインスタンスを構成しなければならないために、図１に示す既存の技術的解決策は以下の問題を有する。Ｂ−ＶＰＬＳインスタンスは通常、バックボーン接続のインフラストラクチャとみなされ、可能な限り安定であり、かつユーザアクセスによって影響を受けないものであるべきであり、ユーザアクセスによる効果が、ユーザ側プロバイダエッジ機器で構成されたＩ−ＶＰＬＳインスタンスによって吸収されるべきである。しかし、新しいルートサイトおよびツリートポロジを有するＩ−ＶＰＬＳインスタンスを用いるユーザによってアクセスされるとき、１つのＢ−ＶＰＬＳインスタンスは、同一または互換のルートサイトおよびツリートポロジを有するＩ−ＶＰＬＳインスタンスだけにサービスすることができるので、新しいＢ−ＶＰＬＳインスタンスを構成することが不可避である。したがって、既存の技術的解決策は、バックボーンネットワークの構造を安定して維持することができず、したがって運用コストが上昇する。
【０００７】
既存の技術的解決策では、データパケットを転送するためのツリートポロジは、ＳＨＧによって静的に決定される。ＳＨＧが構成されると、ツリートポロジが固定され、ツリートポロジに準拠しないＩ−ＶＰＬＳインスタンスが他のＢ−ＶＰＬＳインスタンスによってサービスされる。したがって、既存の技術的解決策によって、１つのＢ−ＶＰＬＳインスタンスによって相異なるルートサイトおよびツリートポロジを有する複数のＩ−ＶＰＬＳインスタンスをサポートすることは不可能である。
【発明の概要】
【発明が解決しようとする課題】
【０００８】
上記の技術的問題に鑑みて本発明を提案し、本発明の目的は、バックボーンネットワークを安定して維持し、ＰＢＢ−ＶＰＬＳネットワークの運用コストを削減するように、１つのＢ−ＶＰＬＳインスタンスを構成することによって相異なるルートサイトおよびツリートポロジを有する複数のＩ−ＶＰＬＳインスタンスをサポートすることのできる、ＰＢＢ−ＶＰＬＳネットワーク内のデータパケットに関する転送規則を求める方法およびデバイスを提供することである。
【課題を解決するための手段】
【０００９】
本発明の第１の態様によれば、プロバイダバックボーンブリッジによる仮想プライベートＬＡＮサービス（ＰＢＢ−ＶＰＬＳ）ネットワーク内のデータパケットに関する転送規則を求める方法であって、受信したデータパケットのバックボーンサービスインスタンス識別子（Ｉ−ＳＩＤ）フィールド内の値を検査すること、およびＩ−ＳＩＤ値に基づいてデータパケットに対応する仮想分割水平グループを求めることであって、仮想分割水平グループが、ＰＢＢ−ＶＰＬＳネットワークの相異なる擬似ワイヤポート間のデータパケットに関する転送規則を定義することを含む方法が提供される。
【００１０】
本発明の第２の態様によれば、プロバイダバックボーンブリッジによる仮想プライベートＬＡＮサービス（ＰＢＢ−ＶＰＬＳ）ネットワーク内のデータパケットに関する転送規則を求めるデバイスであって、受信したデータパケットのバックボーンサービスインスタンス識別子（Ｉ−ＳＩＤ）フィールド内の値を検査する検査モジュールと、Ｉ−ＳＩＤ値に基づいてデータパケットに対応する仮想分割水平グループを求める仮想分割水平グループ決定モジュールであって、仮想分割水平グループが、ＰＢＢ−ＶＰＬＳネットワークの相異なる擬似ワイヤポート間のデータパケットに関する転送規則を定義する仮想分割水平グループ決定モジュールとを備えるデバイスが提供される。
【００１１】
本発明の第３の態様によれば、プロバイダバックボーンブリッジによる仮想プライベートＬＡＮサービス（ＰＢＢ−ＶＰＬＳ）ネットワーク内で使用され、ネットワーク側に配置されるプロバイダエッジ機器であって、データパケットに関する転送規則を求める上記のデバイスを備えるプロバイダエッジ機器が提供される。
【図面の簡単な説明】
【００１２】
【図１】既存のＰＢＢ−ＶＰＬＳネットワーク内の相異なるルートサイトおよびツリートポロジを有する複数のＩ−ＶＰＬＳインスタンスをサポートする技術的解決策の略図である。
【図２】本発明の一実施形態によるＰＢＢ−ＶＰＬＳネットワーク内のデータパケットに関する転送規則を求める方法の流れ図である。
【図３】図２に示す本発明の実施形態による方法が適用されるＰＢＢ−ＶＰＬＳネットワークの略図である。
【図４】本発明の一実施形態によるＰＢＢ−ＶＰＬＳネットワーク内のデータパケットに関する転送規則を求める装置の例示的ブロック図である。
【発明を実施するための形態】
【００１３】
添付の図面と共に行われる本発明の実施形態の以下の詳細な説明から、本発明の上記およびその他の目的、特徴、および利点がより明らかとなると考えられる。
【００１４】
図２は、本発明の一実施形態によるＰＢＢ−ＶＰＬＳネットワーク内のデータパケットに関する転送規則を求める方法の流れ図である。図と共に実施形態を以下で詳細に説明する。
【００１５】
この実施形態では、ＰＢＢ−ＶＰＬＳネットワークは、複数のネットワーク側プロバイダエッジ機器および複数のユーザ側プロバイダエッジ機器を備える。各ユーザ側プロバイダエッジ機器が、相異なるルートサイトおよびツリートポロジを有する複数のＩ−ＶＰＬＳインスタンスと、こうしたＩ−ＶＰＬＳインスタンスにサービスするＢ−ＶＰＬＳインスタンスと共に構成され、各ネットワーク側プロバイダエッジ機器が、対応するＢ−ＶＰＬＳインスタンスと共に構成される。ネットワーク側プロバイダエッジ機器のＢ−ＶＰＬＳインスタンスと、ユーザ側プロバイダエッジ機器の対応するＢ−ＶＰＬＳインスタンスとが、擬似ワイヤを介して結合される。実施形態の方法は、ネットワーク側プロバイダエッジ機器で実施される。
【００１６】
図２に示すように、ステップＳ２０１で、受信したデータパケットのバックボーンサービスインスタンス識別子（Ｉ−ＳＩＤ）フィールド内の値を検査する。この実施形態では、ネットワーク側プロバイダエッジ機器が、擬似ワイヤを介して、結合されたユーザ側プロバイダエッジ機器からデータパケットを受信し、次いで、ネットワーク側プロバイダエッジ機器の擬似ワイヤ終端モジュールが、データパケットのＩ−ＳＩＤフィールド内の値を検査する。擬似ワイヤ終端モジュールは、Ｉ−ＳＩＤフィールド内の値に基づいて、データパケットがどのＩ−ＶＰＬＳインスタンスに属するかを一意に求めることができる。
【００１７】
次にステップＳ２０５で、ネットワーク側プロバイダエッジ機器が、検査したＩ−ＳＩＤフィールド内の値に基づいて、データパケットに対応する仮想分割水平グループを求める。仮想分割水平グループは、ＰＢＢ−ＶＰＬＳネットワークの相異なる擬似ワイヤポート間の、受信したデータパケットに関する転送規則を定義する。データパケットに対応する仮想分割水平グループを求めた後に、それに応じてデータパケットに関する転送規則、すなわちどの擬似ワイヤリンクがデータパケットを転送することを禁止または許可されているかを決定する。
【００１８】
この実施形態では、Ｉ−ＳＩＤフィールド内の値を知ったとき、ネットワーク側プロバイダエッジ機器は、Ｉ−ＳＩＤ値に基づいて動的分割水平グループテーブルに照会し、それによって、データパケットに対応する仮想分割水平グループを求める。
【００１９】
動的分割水平グループテーブルは、Ｉ−ＳＩＤ値によって特定されるＩ−ＶＰＬＳインスタンスと、仮想分割水平グループとの間の関係を記録する。従来技術の静的分割水平グループと区別するために、実施形態では、動的分割水平グループテーブル内の分割水平グループエントリを仮想分割水平グループ（ＶＳＨＧ）と呼ぶ。ＰＢＢ−ＶＰＬＳネットワーク内の各ネットワーク側プロバイダエッジ機器上に動的分割水平グループテーブルを格納することができ、動的分割水平グループテーブルはネットワーク管理システムによって生成され、ネットワーク側プロバイダエッジ機器に配布される。新しいルートサイトおよびツリートポロジを有するＩ−ＶＰＬＳインスタンスがＰＢＢ−ＶＰＬＳネットワークに新しく追加されたとき、既存のＢ−ＶＰＬＳインスタンスが新しく追加されたＩ−ＶＰＬＳトポロジをサポートすることができるように、新しいエントリが動的分割水平グループテーブルに追加される。
【００２０】
表１に、動的分割水平グループテーブルの一例を例示的に示す。
【００２１】
【表１】
0005548273.tif 000002
【００２２】
表１では、各Ｉ−ＳＩＤ値がＩ−ＶＰＬＳインスタンスを一意に特定し、各ＶＳＨＧ値が仮想分割水平グループを一意に特定し、複数のＩ−ＶＰＬＳインスタンスを同一の仮想分割水平グループにマッピングすることができる。表１の例では、ＰＢＢ−ＶＰＬＳネットワーク内で動作する、合計で５つのＩ−ＶＰＬＳインスタンスがあり、動的分割水平グループは３つの仮想分割水平グループを含み、Ｉ−ＳＩＤ１およびＩ−ＳＩＤ２によって特定されるＩ−ＶＰＬＳインスタンスが、仮想分割水平グループＶＳＨＧ１にマッピングされ、Ｉ−ＳＩＤ３およびＩ−ＳＩＤ４によって特定されるＩ−ＶＰＬＳインスタンスが、仮想分割水平グループＶＳＨＧ２にマッピングされ、Ｉ−ＳＩＤ５によって特定されるＩ−ＶＰＬＳインスタンスが、仮想分割水平グループＶＳＨＧ３にマッピングされる。異なるＶＳＨＧは、それぞれ、擬似ワイヤポート間でデータパケットの転送を禁止または許可することに関する異なる規則に対応する。したがって、第１および第２のＩ−ＶＰＬＳインスタンスが、同一または互換のツリートポロジを有し、第３および第４のＩ−ＶＰＬＳインスタンスが、同一または互換のツリートポロジを有し、第５のＩ−ＶＰＬＳインスタンスが、他のＩ−ＶＰＬＳインスタンスとは非互換のツリートポロジを有することがわかる。
【００２３】
データパケットに関する転送規則を求めると、ネットワーク側プロバイダエッジ機器Ｎ−ＰＥは、転送規則に基づいてデータパケットを転送することができる。
【００２４】
上記の説明から、相異なるツリートポロジを有するＩ−ＶＰＬＳインスタンスに関する相異なる転送規則に動的に適応するために動的分割水平グループを使用することにより、ＰＢＢ−ＶＰＬＳネットワーク内のデータパケットに関する転送規則を求める本実施形態の方法は、１つのＢ−ＶＰＬＳインスタンス内の非互換のツリートポロジを有する複数のＩ−ＶＰＬＳインスタンスをサポートすることができ、それによってバックボーンネットワークの安定性を保証し、ネットワーク運用コストを削減することがわかる。さらに、本実施形態の方法で必要となるのは、ＰＢＢ−ＶＰＬＳネットワーク内のネットワーク側プロバイダエッジ機器がデータパケットのＩ−ＳＩＤフィールドを検査できることだけであり、ＰＢＢ−ＶＰＬＳネットワークのコントロールプレーンを変更し、またはユーザ側プロバイダエッジ機器に対する何らかの機能的拡張を行う必要はない。したがって、「プラグアンドプレイ」配置方式である、新しいネットワーク側プロバイダエッジ機器の配置による影響は非常に小さい。
【００２５】
図３に、図２に示す実施形態の方法が実装されるＰＢＢ−ＶＰＬＳネットワークの略図を示す。ネットワーク側プロバイダエッジ機器Ｎ−ＰＥ１、Ｎ−ＰＥ２、およびユーザ側プロバイダエッジ機器Ｕ−ＰＥ１、Ｕ−ＰＥ２、Ｕ−ＰＥ３、Ｕ−ＰＥ４上に１つのＢ−ＶＰＬＳインスタンスを構成するだけで、非互換のツリートポロジを有する複数のＩ−ＶＰＬＳインスタンスをサポートすることができる。図３に示すＰＢＢ−ＶＰＬＳネットワークでは、２つのＩ−ＶＰＬＳインスタンスＩ１およびＩ２が、同一のルートサイトおよびツリートポロジを有し、Ｉ−ＶＰＬＳインスタンスＩ３が、Ｉ−ＶＰＬＳインスタンスＩ１およびＩ２とは異なるルートサイトおよびツリートポロジを有し、Ｉ−ＶＰＬＳインスタンスＩ１、Ｉ２、およびＩ３はすべて、同一のＢ−ＶＰＬＳインスタンスにマッピングされる。Ｉ−ＶＰＬＳインスタンスは２つの異なるツリートポロジを有するので、動的分割水平グループは２つの仮想分割水平グループＶＳＨＧ１およびＶＳＨＧ２を含む。仮想分割水平グループＶＳＨＧ１はＩ−ＶＰＬＳインスタンスＩ１およびＩ２に対応し、仮想分割水平グループＶＳＨＧ２はＩ−ＶＰＬＳインスタンスＩ３に対応する。Ｎ−ＰＥ１およびＵ−ＰＥ１を結合する擬似ワイヤと、Ｎ−ＰＥ１およびＵ−ＰＥ２を結合する擬似ワイヤは仮想分割水平グループＶＳＨＧ１に属し、Ｎ−ＰＥ１およびＮ−ＰＥ２を結合する擬似ワイヤと、Ｎ−ＰＥ２およびＵ−ＰＥ３を結合する擬似ワイヤは仮想分割水平グループＶＳＨＧ１に属し、Ｎ−ＰＥ２およびＵ−ＰＥ３を結合する擬似ワイヤと、Ｎ−ＰＥ２およびＵ−ＰＥ４を結合する擬似ワイヤは仮想分割水平グループＶＳＨＧ２に属し、Ｎ−ＰＥ１およびＮ−ＰＥ２を結合する擬似ワイヤと、Ｎ−ＰＥ１およびＵ−ＰＥ２を結合する擬似ワイヤは仮想分割水平グループＶＳＨＧ２に属する。
【００２６】
同じ本発明の概念の下で、図４に、本発明の一実施形態によるＰＢＢ−ＶＰＬＳネットワーク内のデータパケットに関する転送規則を求めるデバイス４００の例示的ブロック図を示す。図面と共に本実施形態を詳細に説明し、その中では上記の実施形態と同一の部分に関する説明を適切に省略する。
【００２７】
図４に示すように、本実施形態のＰＢＢ−ＶＰＬＳネットワーク内のデータパケットに関する転送規則を求めるデバイス４００は、受信したデータパケットのそれぞれのＩ−ＳＩＤフィールド内の値を検査する検査モジュール４０１と、検査モジュール４０１によって得られたＩ−ＳＩＤ値に基づいてデータパケットに対応する仮想分割水平グループを求める仮想分割水平グループ決定モジュール４０２であって、仮想分割水平グループが、ＰＢＢ−ＶＰＬＳネットワークの相異なる擬似ワイヤポート間のデータパケットに関する転送規則を定義する仮想分割水平グループ決定モジュール４０２とを備える。
【００２８】
データパケットを受信したとき、検査モジュール４０１は、Ｉ−ＳＩＤフィールド内の値を検査し、Ｉ−ＳＩＤ値は、データパケットがどのＩ−ＶＰＬＳインスタンスに属するかを一意に決定することができる。次いで、仮想分割水平グループ決定モジュール４０２では、照会ユニット４０２１は、データパケットに対応する仮想分割水平グループを求めるために、Ｉ−ＳＩＤ値に基づいて動的分割水平グループテーブル４０２２に照会する。動的分割水平グループテーブル４０２２は、Ｉ−ＳＩＤ値によって特定されるＶＰＬＳインスタンスと、仮想分割水平グループとの間の関係を記録する。
【００２９】
上述のように、動的分割水平グループテーブル４０２２が生成され、ネットワーク管理システムによって提供される。
【００３０】
本実施形態のデバイス４００は、図２に示すＰＢＢ−ＶＰＬＳネットワーク内のデータパケットに関する転送規則を求める方法を実装するように動作可能であることに留意されたい。
【００３１】
さらに、本実施形態のデバイス４００をネットワーク側プロバイダエッジ機器内に含めることができる。
【００３２】
上記の実施形態のＰＢＢ−ＶＰＬＳネットワーク内のデータパケットに関する転送規則を求めるデバイスおよびその構成要素は、大規模集積回路やゲートアレイなどのハードウェア回路、論理チップやトランジスタなどの半導体、フィールドプログラマブルゲートアレイ、プログラマブル論理デバイスなどのプログラマブルハードウェアデバイスによって実装することができ、または様々なタイプのプロセッサによって実行されるソフトウェアによって実装することができ、または上記のハードウェア回路とソフトウェアの組合せによって実装できることに留意されたい。
【００３３】
いくつかの例示的実施形態を通じて、本発明のＰＢＢ−ＶＰＬＳネットワーク内のデータパケットに関する転送規則を求める方法およびデバイスを上記で説明したが、こうした実施形態は網羅的なものではなく、本発明の趣旨および範囲内で様々な変更および修正を当業者は行うことができる。したがって、本発明はこうした実施形態に限定されず、本発明の範囲は添付の特許請求の範囲のみによって定義される。
【図１】
0005548273.tif 000003
【図２】
0005548273.tif 000004
【図３】
0005548273.tif 000005
【図４】
0005548273.tif 000006